(57)【要約】【課題】開閉可能な通気孔を有し、かつ、通気孔やガラリが容易に清掃可能な障子を備えた建具を提供する。【解決手段】室内外の境界に設けられて開口を形成する枠体と、前記開口を閉塞可能に前記枠体に設けられ、前記室内外を連通する通気孔及び前記通気孔に備えられるガラリを有する障子と、を備えた建具であって、前記ガラリは、前記通気孔を開閉自在に支持されるとともに、着脱自在に備えられている。【選択図】図５
2008031730.tif 000002
【特許請求の範囲】
【請求項１】
室内外の境界に設けられて開口を形成する枠体と、
前記開口を閉塞可能に前記枠体に設けられ、前記室内外を連通する通気孔及び前記通気孔に備えられるガラリを有する障子と、を備えた建具であって、
前記ガラリは、前記通気孔を開閉自在に支持されるとともに、着脱自在に備えられていることを特徴とする建具。
【請求項２】
請求項１に記載の建具であって、
前記ガラリの姿勢を変更するための姿勢変更機構を有し、
前記ガラリは、前記姿勢変更機構により、前記姿勢が変更されて前記通気孔を開閉するとともに、
前記通気孔が開放された状態、又は、閉塞された状態で、前記姿勢が維持されることを特徴とする建具。
【請求項３】
請求項２に記載の建具であって、
前記姿勢変更機構は、前記ガラリの姿勢を変更するために操作する操作部を有し、
前記操作部が下方に移動されることにより、前記ガラリの上端部が前記障子の見込み方向における一方に移動されて前記通気孔が閉塞され、
前記操作部が上方に移動されることにより、前記ガラリの上端部が前記障子の見込み方向における他方に移動されて前記通気孔が開放されることを特徴とする建具。
【請求項４】
請求項３に記載の建具であって、
前記姿勢変更機構は、前記障子に固定された固定ブロックと、
上下方向にスライド可能に前記固定ブロックに取り付けられ、前記操作部を有するスライドブロックと、
前記固定ブロックに回動自在に支持され、前記操作部の移動により回動される回動アームと、
を備え、
前記スライドブロックは、前記ガラリの上端部が当接され、前記操作部が下方に移動されることにより、当接された前記上端部を前記見込み方向の一方に案内する傾斜部を有し、
前記回動アームは、前記操作部が上方に移動されることにより回動され、前記ガラリの上端部を前記見込み方向における他方に移動させるアーム部を有していることを特徴とする建具。
【発明の詳細な説明】
【技術分野】
【０００１】
本発明は、ガラリを有する障子を備えた建具に関する。
【背景技術】
【０００２】
ガラリを有する障子を備えた建具としては、障子の通気用開口に設けられ、見付け方向に沿う軸にて回動自在に支持されたガラリが、上下方向にスライド可能な操作部を操作することにより通気用開口を開閉可能に形成された障子を有する建具が知られている（例えば、特許文献１参照）。ところで、建具は、室内外を仕切ると共に、外部からの視線を遮る機能を有し、また、浴室などに設けられる場合には、水や泡等が浴室外に飛び散らないように通気用開口はガラリによって例えばクランク状に形成されている。
【特許文献１】特許第３６６３５９２号明細書
【発明の開示】
【発明が解決しようとする課題】
【０００３】
上記従来の建具のように、通気用開口がクランク状などのように屈曲させて形成されている場合には、通気用開口内に埃等が溜まりやすい。また、浴室用の障子に通気用開口が設けられている場合には、泡や蒸気と埃とによってカビが発生しやすくなる。このため、ガラリや通気用開口内を容易に清掃できる建具が求められている。
【０００４】
本発明は、かかる課題に鑑みてなされたものであり、その目的とするところは、開閉可能な通気孔を有し、かつ、通気孔やガラリが容易に清掃可能な障子を備えた建具を提供することにある。
【課題を解決するための手段】
【０００５】
かかる目的を達成するために本発明の建具は、室内外の境界に設けられて開口を形成する枠体と、前記開口を閉塞可能に前記枠体に設けられ、前記室内外を連通する通気孔及び前記通気孔に備えられるガラリを有する障子と、を備えた建具であって、前記ガラリは、前記通気孔を開閉自在に支持されるとともに、着脱自在に備えられていることを特徴とする建具である。
【０００６】
このような建具によれば、通気孔に設けられたガラリにより通気孔を開閉することが可能であり、かつ、ガラリを取り外すことも可能である。このため、ガラリを取り外すことにより、水や泡などで汚れやすいガラリは勿論のこと、ガラリが外されて開口部分が広くなった通気孔をも容易に清掃することが可能である。
【０００７】
かかる建具であって、前記ガラリの姿勢を変更するための姿勢変更機構を有し、前記ガラリは、前記姿勢変更機構により、前記姿勢が変更されて前記通気孔を開閉するとともに、前記通気孔が開放された状態、又は、閉塞された状態で、前記姿勢が維持されることが望ましい。
【０００８】
このような建具によれば、姿勢変更機構によりガラリの姿勢を変更させて容易に通気孔を開閉することが可能である。また、ガラリの姿勢が維持されることにより通気孔が開放された状態、又は、閉塞された状態を維持させることが可能である。このため、ガラリが揺れて姿勢が変わることにより開放されていた通気孔が閉じてしまったり、閉塞されていた通気孔が開いてしまうことを防止することが可能である。
【０００９】
かかる建具であって、前記姿勢変更機構は、前記ガラリの姿勢を変更するために操作する操作部を有し、前記操作部が下方に移動されることにより、前記ガラリの上端部が前記障子の見込み方向における一方に移動されて前記通気孔が閉塞され、前記操作部が上方に移動されることにより、前記ガラリの上端部が前記障子の見込み方向における他方に移動されて前記通気孔が開放されることが望ましい。
【００１０】
このような建具によれば、姿勢変更機構の操作部を下方に移動させるとガラリの上端部を見込み方向の一方に移動させ、操作部を上方に移動させるとガラリの上端部を他方に移動させることができる。すなわち、操作部を上方又は下方に操作するだけで、ガラリの上端部を相反する２方向に移動させて通気孔を開閉することが可能である。このため、操作部を操作するだけで、容易にかつ確実に通気孔を開閉することが可能である。
【００１１】
かかる建具であって、前記姿勢変更機構は、前記障子に固定された固定ブロックと、上下方向にスライド可能に前記固定ブロックに取り付けられ、前記操作部を有するスライドブロックと、前記固定ブロックに回動自在に支持され、前記操作部の移動により回動される回動アームと、を備え、前記スライドブロックは、前記ガラリの上端部が当接され、前記操作部が下方に移動されることにより、当接された前記上端部を前記見込み方向の一方に案内する傾斜部を有し、前記回動アームは、前記操作部が上方に移動されることにより回動され、前記ガラリの上端部を前記見込み方向における他方に移動させるアーム部を有していることが望ましい。
【００１２】
このような建具によれば、ガラリの姿勢を変更する際に、姿勢変更機構の傾斜部及びアーム部はいずれもガラリの上端部に作用する。また、アーム部は回動されてガラリの上端部を移動させるので、ガラリを移動させる傾斜部及びアーム部が通気孔内に常に存在している必要はない。このため、上記建具は通気孔が開閉可能な機構を備えるとともに、ガラリを通気孔内に装着する際には、ガラリが進入していく領域から傾斜部及びアーム部を退避させて、ガラリを容易に装着することが可能である。よって、通気孔を容易に開閉可能であり、かつ、ガラリを容易に装着可能な建具を実現することが可能である。
【発明の効果】
【００１３】
本発明によれば、開閉可能な通気孔を有し、かつ、通気孔やガラリが容易に清掃可能な障子を備えた建具を提供することができるという効果がある。
【発明を実施するための最良の形態】
【００１４】
以下、本発明の一実施形態に係る建具について図１〜６を参照して説明する。本実施形態では、ガラリを有する障子を備えた建具として、浴室内外の境界に設けられる浴室用の建具を例に説明する。また、浴室内から見た状態にて上下となる方向を上下方向、及び左右となる方向を左右方向として示す。
【００１５】
本実施形態に係る建具１０は、躯体に固定され開口を形成する枠体１４と、枠体１４に設けられ閉塞可能な障子としての折れ戸２０とを有している。枠体１４は、折れ戸２０の上下に位置する横枠１４ａと、左右に位置する縦枠１４ｂとを有している。折れ戸２０は、左右一対の扉体２２がそれらの間に設けられたヒンジを介して連結されており、連結された扉体２２の両端部が上下の横枠１４ａに設けられたレールに支持されてスライドすると共に、両端部が近接するように連結部分が浴室内側に移動されて折り曲げられることにより開放される。
【００１６】
折れ戸２０の左右一対の扉体２２は、連結部分が異なるがその他の部分はほぼ同じに構成されている。各扉体２２は、左右に設けられる縦框２３と、左右の縦框２３を連結して上端に設けられた上框２４と、上下方向のほぼ中央にて左右の縦框２３の間に設けられる中桟２５と、左右の縦框２３の間に設けられ下端側に設けられて通気孔３６を形成する通気孔パーツ群３０と、上框２４と中桟２５との間及び中桟２５と通気孔パーツ群３０との間に設けられた上下の面材２６とを有している。
【００１７】
通気孔パーツ群３０は、下側の面材２６を支持する下桟３２と、左右の縦框２３を下端にて連結する下框３４と、下桟３２と下框３４との間に形成される通気孔３６内に設けられたガラリ３８とを有している。下桟３２と下框３４とは、左右の縦框２３にそれぞれ設けられたガラリブロック４０及び縦框２３にて位置決めされて縦框２３に固定される。また、下桟３２には、通気孔３６内に配置されたガラリ３８の姿勢を変更するための姿勢変更機構５０が設けられている。姿勢変更機構５０については後述する。
【００１８】
ガラリブロック４０は、左右対象の形状に形成されており、上下方向のほぼ中央に形成されガラリ３８が支持される溝部４０ａと、上下方向のほぼ半分より上側であって浴室外側の縁部に互いに対向する側に突出させたガイド部４０ｃとを有している。溝部４０ａは、ガラリブロック４０の浴室内側の縁部から水平方向より僅かに上方に傾斜しつつ見込み方向におけるほぼ中央の位置まで形成されており、中央の終端部４０ｂは下方に下げられ下部は曲面が形成されている。そして、左右のガラリブロック４０にそれぞれ設けられた溝部４０ａと、ガイド部４０ｃとは対向する位置に形成されている。
【００１９】
下桟３２は、下側の面材２６を支持する支持部３２ａの浴室内側の壁部３２ｂが下方に垂下されている。下框３４は、左右方向に連通する中空部を有する框部３４ａを有し、框部３４ａの浴室外側の壁部３４ｂが上方に延出されている。支持部３２ａと框部３４ａとは見込み方向の幅がほぼ同じに形成されているので、下桟３２の浴室内側の壁部３２ｂと框部３４ａの浴室内側の壁部３４ｃ、及び支持部３２ａの浴室外側の壁部３２ｃと下框３４の浴室外側の壁部３４ｂ、とはほぼ同一平面を形成している。そして、下桟３２の浴室内側の壁部３２ｂの下端は下框３４の浴室内側の壁部３４ｃの上端より上方に位置し、下框３４の浴室外側の壁部３４ｂの上端は下桟３２の浴室外側の壁部３２ｃの下端より下方に位置している。そして、ガラリ３８を取り付ける前の状態では、下桟３２の浴室内側の壁部３２ｂ下端と下框３４の浴室外側の壁部３４ｂとの間は水平方向に貫通しており、さらに、浴室外側の壁部３４ｂの上方は浴室外側に、浴室内側の壁部３２ｂの下方は浴室内側にそれぞれ開放されている。
【００２０】
ガラリ３８は、断面がクランク状をなすガラリ板３８ａと、左右の縁部を覆うガラリキャップ３８ｂとを有している。ガラリ板３８ａは、上下方向及び見込み方向の位置を異ならせて配置される２つの板部３８ｃ、３８ｄが、それらの板面が互いにほぼ平行を成し、下桟３２及び下框３４の見込み方向の幅とほぼ同じ間隔を隔てて配置され、上側の板部３８ｃの下端部と下側の板部３８ｄの上端部とが繋がった板状に形成されている。
【００２１】
また、ガラリキャップ３８ｂは、ガラリ板３８ａの縁部を覆うように取り付けられた際に、上側の板部３８ｃと下側の板部３８ｄとのほぼ中間に位置させて、それぞれ縦框２３側に突出させて、ガラリ３８が回動する際の回動軸３８ｅが形成されている。この回動軸３８ｅは、ガラリ３８が取り付けられた際に溝部４０ａの終端部４０ｂに入り込み、滑らかに回動するように、終端部４０ｂの曲面の径より小さな直径を有する円柱状に形成されている。ガラリ板３８ａにガラリキャップ３８ｂが取り付けられたガラリ３８は、左右の回動軸３８ｅを除いた左右方向の幅が、ガラリ３８をガラリブロック４０間に入り込ませて滑らかに回動可能な幅であり、かつ、対向するガイド部４０ｃ間の間隔より広くなるように形成されている。
【００２２】
姿勢変更機構５０は、下桟３２に固定される固定ブロック５２と、固定ブロック５２に取り付けられて上下方向にスライド可能なスライドブロック５４と、固定ブロック５２に回動自在に支持されてスライドブロック５４のスライド移動によって回動可能な回動アーム５６とを有している。
【００２３】
固定ブロック５２は、下桟３２に固定するための固定部５２ａと、スライドブロック５４が挿入される切欠部５２ｂを有しスライドブロック５４のスライド移動を案内するガイド板部５２ｃと、回動アーム５６が回動するための軸部５６ａが挿入される穴部５２ｄを有する回動アーム支持部５２ｅとを有している。ガイド板部５２ｃは、下桟３２に設けられた角穴（不図示）から浴室内側に突出されると共に、固定部５２ａが浴室外側から下桟３２に当接され、浴室内側でねじ等により固定される。回動アーム支持部５２ｅは、浴室内側から見て切欠部５２ｂより左側に配置されている。
【００２４】
スライドブロック５４は、ガイド板部５２ｃとともに下桟３２に設けられた角穴（不図示）から突出され、ガイド板部５２ｃより浴室内側に突出されてガイド板部５２ｃに沿って上下方向にスライド可能な操作部５４ａと、浴室外側に設けられガイド板部５２ｃを操作部５４ａと共に挟む上下の挟持部５４ｂ、５４ｃと、上側挟持部５４ｂの浴室外側に突出された固定アーム部５４ｄと、固定アーム部５４ｄの左側に設けられて左方向に向かって突出され回動アーム５６と係合して回動アーム５６を回動させるための係合突起５４ｅとを有している。
【００２５】
固定アーム部５４ｄは、通気孔３６が開かれた際にほぼ鉛直方向に沿って配置されるガラリ板３８ａの浴室外側の面が当接される当接面５４ｆと、操作部５４ａが操作されてスライドブロック５４が下方へスライド移動することにより、ガラリ板３８ａの上端部３８ｆを下桟３２の浴室内側に位置する壁部３２ｂに、また、ガラリ板３８ａの下端部３８ｇを下框３４の浴室外側に位置する壁部３４ｂに当接させるべく上端部３８を案内して姿勢を変更させるための傾斜部５４ｇを有している。
【００２６】
回動アーム５６は、固定ブロック５２の穴部５２ｄに挿入されて回動するための軸部５６ａと、軸部５６ａと一体に設けられたアーム部５６ｂと、アーム部５６ｂに対し軸部５６ａを挟んでほぼ反対側に直径方向に突設され係合突起５４ｅと係合するための作用部５６ｃとを有している。軸部５６ａの先端部には周方向に沿って所定間隔で複数のスリット５６ｄが設けられ、スリット５６ｄとスリット５６ｄとの間の部位が直径方向に撓み変形可能に形成されている。スリット５６ｄとスリット５６ｄとの間の部位には、軸部５６ａが穴部５２ｄに挿入された際に、軸部５６ａの抜けを防止するための爪部５６ｅが外側に向かって突設されている。
【００２７】
そして、姿勢変更機構５０は、回動アーム５６を穴部５２ｄに挿入し、スライドブロック５４を固定ブロック５２の上方から装着して構成されている。姿勢変更機構５０は、操作部５４ａを上方に移動させると、係合突起５４ｅが上昇して作用部５６ｃを押し上げ、回動アーム５６が軸部５６ａを中心に回動されてアーム部５６ｂが固定アーム部５４ｄに近づく方向に進入する。一方、姿勢変更機構５０は、操作部５４ａを下方に移動させると、係合突起５４ｅが降下して作用部５６ｃから離れる。このとき、回動アーム５６が軸部５６ａを中心に所定範囲内で回動自在な状態となる。
【００２８】
次に、下桟３２と下框３４との間に形成された通気孔３６にガラリ３８を装着する方法を説明する。
【００２９】
図５（ａ）に示すように、ガラリ３８の上端部３８ｆを、浴室内側から通気孔３６に挿入する。このとき、ガラリ３８の左右の両端部に設けられたガラリキャップ３８ｂの先端がガラリブロック４０のガイド部４０ｃに当接された後、ガラリ３８が更に挿入されることにより、ガラリキャップ３８ｂの上端部がガイド部４０ｃに沿って上方に移動される。そして、ガイド部４０ｃに沿ってガラリ３８が上昇した際に、上方に配置されている姿勢変更機構５０の固定アーム部５４ｄとガラリ３８の上端部３８ｆが接触し、その後固定アーム部５４ｄの当接面５４ｆに沿って上昇する。また、図５（ｂ）に示すように、ガラリキャップ３８ｂに設けられた回動軸３８ｅがガラリブロック４０の溝部４０ａに沿って進入していく。
【００３０】
回動軸３８ｅがガラリブロック４０の溝部４０ａの奥側、すなわち、見込み方向におけるガラリブロック４０の中央付近にて、ガラリ３８を鉛直方向における下方に移動させることにより、図５（ｃ）に示すように、回動軸３８ｅが溝部４０ａの終端部４０ｂにて回動自在に支持されて装着される。
【００３１】
ガラリ３８を装着する際に、姿勢変更機構５０のスライドブロック５４が操作部５４ａの移動範囲において下側に位置していた場合には、回動軸３８ｅが溝部４０ａの終端部４０ｂに到達する前にガラリ３８の上端部３８ｆがスライドブロック５４の傾斜部５４ｇに接触するが、この場合には、ガラリ３８を進入させる際に、ガラリ３８は上端部３８ｆにてスライドブロック５４を押し上げつつ進入させていく。このとき、回動アーム５６のアーム部５６ｂは所定範囲内で回動自在な状態にあり、ガラリ３８の上端部３８ｆが移動する浴室内側とは反対側、すなわち浴室外側に位置しているため、ガラリ３８の上端部３８ｆが通気孔３６内へ進入することを妨げない。
【００３２】
このように、ガラリ３８を装着していくと、ガラリ３８の上端部３８ｆがガイド部４０ｃ及び当接面５４ｆに沿って上方に移動される。そして、装着された際には、ガラリ３８の上端部３８ｆに押し上げられたスライドブロック５４の係合突起５４ｅにて回動された回動アーム５６のアーム部５６ｂにより浴室外側に押圧されて、ガラリ３８の上端部３８ｆが固定アーム部５４ｄの当接面５４ｆに当接された状態にてガラリ３８の姿勢が維持される。このとき、図５（ｃ）に示すように、ガラリ３８は、上側の板部３８ｃと下桟３２の壁部３２ｂとが、また、下側の板部３８ｄと下框３４の壁部３４ｂとが、それぞれ間隔を隔ててほぼ平行な姿勢を成している。このためガラリ３８と下桟３２の壁部３２ｂとの間、及び、ガラリ３８と下框３４の壁部３４ｂとの間には浴室内と浴室外を連通する通気孔３６が形成され、操作部５４ａが操作されない間は、この姿勢が維持されて通気孔３６が開放された状態が維持される。
【００３３】
そして、操作部５４ａが下方に移動されると、すなわち、スライドブロック５４が下方に移動されると、図５（ｄ）に示すように、ガラリ３８の上端部３８ｆが固定アーム部５４ｄの傾斜部５４ｇに押圧されるとともに、係合突起５４ｅが降下して作用部５６ｃから離れ、回動アーム５６のアーム部５６ｂは回動可能な状態となる。ガラリ３８の上端部３８ｆは、固定アーム部５４ｄの傾斜部５４ｇに押圧されながら傾斜部５４ｇに沿って浴室内側に案内されつつ移動される。この時回動アーム５６のアーム部５６ｂは回動可能な状態のためガラリ３８の移動に伴って浴室内側に移動される。そして、スライドブロック５４が操作部５４ａの可動範囲における最下位置まで移動されると、ガラリ３８の上端部３８ｆは、下桟３２の壁部３２ｂに当接され、下端部３８ｇは下框３４の壁部３４ｂに当接される。このようにガラリ３８の上端部３８ｆが壁部３２ｂに、また、下端部３８ｇが壁部３４ｂに当接されると、ガラリ３８の上下に形成されていた通気孔３６は閉塞される。そして、操作部５４ａが下げられた状態では、ガラリ３８の上端部３８ｆが固定アーム部５４ｄの傾斜部５４ｇにより浴室内側に押圧されてガラリ３８の姿勢が維持されるので、ガラリ３８の上下に形成されていた通気孔３６は閉塞された状態が維持される。
【００３４】
また、操作部５４ａが上方に移動されると、すなわちスライドブロック５４が上方に移動されると、図５（ｃ）に示すように、ガラリ３８の上端部３８ｆから固定アーム部５４ｄの傾斜部５４ｇが離れる方向に移動すると共に、スライドブロック５４の係合突起５４ｅが上昇して作用部５６ｃを上方に押し上げる。係合突起５４ｅに作用部５６ｃが押し上げられると、回動アーム５６は軸部５６ａを中心に回動し、アーム部５６ｂが浴室内側から浴室外側へ移動する。このとき、回動アーム５６の回動に伴ってガラリ３８の上端部３８ｆはアーム部５６ｂに押圧されることによりガラリ３８が回動軸３８ｅを中心に回動してガラリ３８の上端部３８ｆが固定アーム部５４ｄの当接面５４ｆに当接される。そして、操作部５４ａが上げられた状態では、ガラリ３８の上端部３８ｆがアーム部５６ｂに浴室外側に押圧されてガラリ３８の姿勢が維持されるので、ガラリ３８の上下に形成されている通気孔３６は開放された状態が維持される。
【００３５】
そして、ガラリ３８を取り外す際には、ガラリ３８の下端部３８ｇを下から支えて、回動軸３８ｅを溝部４０ａの終端部４０ｂから浮き上げさせた後、ガラリ３８の下端部３８ｇを浴室側に引きつつ回動軸３８ｅを溝部４０ａに沿わせて移動させる。ガラリ３８を取り外した際には、下桟３２の壁部３２ｂの浴室外側の面、及び、下框３４の壁部３４ｂの浴室内側の面が露出される。
【００３６】
本実施形態の建具１０によれば、姿勢変更機構５０の操作部５４ａを操作することにより、通気孔３６に設けられたガラリ３８を回動させて通気孔３６を開閉することが可能であり、かつ、ガラリ３８は取り外し可能なので、ガラリ３８を取り外すことにより、水や泡などで汚れやすいガラリ３８は勿論のこと、ガラリ３８が外されて開口部分が広くなった通気孔３６をも容易に清掃することが可能である。
【００３７】
また、姿勢変更機構５０の操作部５４ａを下方に移動させるとガラリ３８の上端部３８ｆを見込み方向の一方としての浴室内側に向かう方向に移動させ、操作部５４ａを上方に移動させるとガラリ３８の上端部３８ｆを見込み方向の他方としての浴室外側に向かう方向に移動させることができる。すなわち、操作部５４ａを上方又は下方に操作するだけで、ガラリ３８の上端部３８ｆを相反する２方向に移動させて通気孔３６を開閉することが可能である。このため、操作部５４ａを操作するだけで、容易にかつ確実に通気孔３６を開閉することが可能である。
【００３８】
また、姿勢変更機構５０によりガラリ３８の姿勢が維持されることにより通気孔３６が開放された状態、又は、閉塞された状態が維持されるので、何らかの要因でガラリの姿勢が変わり開放されていた通気孔３６が閉じてしまったり、閉塞されていた通気孔３６が開いてしまうことを防止することが可能である。
【００３９】
また、ガラリ３８の姿勢を変更する際に、スライドブロック５４の傾斜部５４ｇ及び回動アーム５６のアーム部５６ｂはいずれもガラリ３８の上端部３８ｆを押圧する。さらに、回動アーム５６のアーム部５６ｂは回動されてガラリ３８の上端部３８ｆを押圧するので、ガラリ３８を押圧する傾斜部５４ｇ及びアーム部５６ｂが通気孔３６内に常に存在していることはない。このため、通気孔３６が開閉可能な機構を備えるとともに、ガラリ３８を通気孔３６内に装着する際には、ガラリ３８が進入していく領域から傾斜部５４ｇ及びアーム部５６ｂを退避させることにより容易にガラリ３８を装着することが可能な建具１０を実現することが可能である。
【００４０】
例えば、ガラリ３８の上端面における浴室内側の長手方向および下端面における浴室外側の長手方向に水密材を設けることにより、ガラリ３８が閉塞された状態での水密性能を向上させることもできる。また、ガラリ３８が当接される位置の下桟３２の浴室内側の壁部３２ｂの長手方向および下框３４の浴室外側の壁部３４ｂの長手方向に水密材を設けても良い。
【００４１】
本実施形態においてはガラリを備えた障子として、折れ戸を例に説明したが、障子は、枠体内に設けられた１枚の扉であっても構わないし、また、引き戸であっても構わない。また、ガラリを有する障子を備えた建具として浴室用の建具を例に説明したがこれに限るものではない。
【００４２】
また、本実施形態においては、姿勢変更機構５０を下桟３２に設け、ガラリ３８の上端部３８ｆを傾斜部５４ｇ及びアーム部５６ｂにて押圧することにより通気孔３６を開閉させる構成について説明したが、姿勢変更機構５０の上下を逆にして下框３４に設け、ガラリ３８の下端部３８ｇを傾斜部５４ｇ及びアーム部５６ｂにて押圧することにより通気孔３６を開閉させる構成としてもよい。この場合には、操作部５４ａが上方に移動されると通気孔３６が閉塞され、操作部５４ａが下方に移動されると通気孔３６が開放される。
【００４３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４４】
【図１】本実施形態に係る建具を浴室内側から見た概略図である。
【図２】本実施形態に係る建具の主要部を説明するための分解斜視図である。
【図３】姿勢変更機構の分解斜視図である。
【図４】図４（ａ）は、通気孔が開いたときの姿勢変更機構の状態を説明するための斜視図である。図４（ｂ）は、図４（ａ）のＡ矢視図である。図４（ｃ）は、通気孔を閉じたときの姿勢変更機構の状態を説明するための斜視図である。図４（ｄ）は、図４（ｃ）のＢ矢視図である。
【図５】図５（ａ）は、ガラリを装着し始めたとき、及び、ガラリが取り外される直前のガラリの姿勢を示す図である。図５（ｂ）は、装着及び取り外し途中のガラリの姿勢を示す図である。図５（ｃ）は、装着されたガラリであって、通気孔が開放されている状態を示す図である。図５（ｄ）は、装着されたガラリであって、通気孔が閉塞されている状態を示す図である。
【符号の説明】
【００４５】
１０  建具、１４  枠体、２０  折れ戸、３６  通気孔、３８  ガラリ、
３８ｆ  上端部、５０  姿勢変更機構、５２  固定ブロック、
５４  スライドブロック、５４ａ  操作部、５４ｄ  固定アーム部、
５４ｇ  傾斜部、５６  回動アーム、５６ｂ  アーム部
【図１】
2008031730.tif 000003
【図２】
2008031730.tif 000004
【図３】
2008031730.tif 000005
【図４】
2008031730.tif 000006
【図５】
2008031730.tif 000007